(57)【要約】【課題】冷媒圧力の過度の上昇を抑制する空気調和機を提供する。【解決手段】空気調和機１００は、室内ファン３０２と、室内熱交換器３０１と、制御部３１０とを備える。室内熱交換器３０１は、冷媒と室内空気とを熱交換して調和空気を生成する。制御部３１０は、運転モードを設定する。制御部３１０は、室内ファンの回転数を制御する。より詳細には、運転モードが第１暖房モードおよび第１暖房モードよりも高温の調和空気が生成される第２暖房モードの一方から他方に切り換えられた場合に、運転モードが第１暖房モードに設定されている場合の回転数の低下速度である第１速度よりも遅い第２速度で回転数を下げる。【選択図】図５
2017083146.tif 000002
【特許請求の範囲】
【請求項１】
室内ファン（３０２）と、
冷媒と室内空気とを熱交換して調和空気を生成する室内熱交換器（３０１）と、
運転モードを設定する設定部（３１０）と、
前記室内ファンの回転数を制御する制御部（３１０）と、
を備え、
前記制御部は、前記運転モードが第１暖房モードおよび前記第１暖房モードよりも高温の前記調和空気が生成される第２暖房モードの一方から他方に切り換えられた場合に、前記運転モードが前記第１暖房モードに設定されている場合の前記回転数の低下速度である第１速度よりも遅い第２速度で前記回転数を下げる、
空気調和機（１００）。
【請求項２】
前記制御部は、前記運転モードが前記第１暖房モードおよび前記第２暖房モードの一方から他方に切り換えられた場合に、冷媒圧力に関する値が予め設定されている閾値よりも高ければ、前記第２速度で前記回転数を下げ、前記値が前記閾値以下であれば、前記第１速度で前記回転数を下げる、
請求項１に記載の空気調和機。
【請求項３】
凝縮器（３０１）と、
前記凝縮器の温度を検出する温度センサ（３２０）と、
をさらに備え、
前記制御部は、前記値として前記温度センサの出力値が前記閾値よりも高ければ、前記第２速度で前記回転数を下げる、
請求項２に記載の空気調和機。
【請求項４】
圧縮機（２０４）と、
前記圧縮機の吐出側での前記冷媒圧力を検出する圧力センサと、
をさらに備え、
前記制御部は、前記値として前記圧力センサの出力値が前記閾値よりも高ければ、前記第２速度で前記回転数を下げる、
請求項２に記載の空気調和機。
【請求項５】
前記制御部は、前記回転数を維持する区間と前記回転数を低下させる区間とを繰り返すことにより、全体として前記第２速度で前記回転数を目標回転数まで下げる、
請求項１から請求項４のいずれか１項に記載の空気調和機。
【発明の詳細な説明】
【技術分野】
【０００１】
本発明は、空気調和機に関する。
【背景技術】
【０００２】
暖房運転の開始時に熱交換器温度に対してファンの上限風量を高く設定し、安定時にファンの上限風量を低く設定する空気調和機が知られている（特許文献１（特開平５−８７３９１号公報）参照）。
【発明の概要】
【発明が解決しようとする課題】
【０００３】
この種の空気調和機は、一般的な暖房モードよりも高温風を吹出す高温風モードを暖房機能として備える場合がある。運転モードが高温風モードから通常暖房モードに切り換えられた場合に、ファンの回転数が急激に低下する場合がある。ファンの回転数が急激に低下すると、凝縮器の温度が上昇する。このとき、凝縮器の温度が上昇し過ぎると、すなわち、冷媒圧力が上昇し過ぎると、圧縮機が停止してしまう。なお、運転モードが高温風モードから通常暖房モードに切り換えられた場合に限らず、通常暖房モードから高温風モードに切り換えられた場合にも同様の課題が生じ得る。
【０００４】
本発明の課題は、冷媒圧力の過度の上昇を抑制する空気調和機を提供することである。
【課題を解決するための手段】
【０００５】
本発明の第１観点に係る空気調和機は、室内ファンと、室内熱交換器と、設定部と、制御部とを備える。室内熱交換器は、冷媒と室内空気とを熱交換して調和空気を生成する。設定部は、運転モードを設定する。制御部は、室内ファンの回転数を制御する。制御部は、運転モードが第１暖房モードおよび第１暖房モードよりも高温の調和空気が生成される第２暖房モードの一方から他方に切り換えられた場合に、運転モードが第１暖房モードに設定されている場合の回転数の低下速度である第１速度よりも遅い第２速度で回転数を下げる。
【０００６】
本発明の第１観点に係る空気調和機では、運転モードが第１暖房モードおよび第２暖房モードの一方から他方に切り換えられた場合に、制御部は、第１速度で回転数を下げるのではなく、第２速度で回転数を下げる。これにより、室内熱交換器での冷媒温度の過度の上昇を抑制することができる。
【０００７】
本発明の第２観点に係る空気調和機においては、制御部は、運転モードが第１暖房モードおよび第２暖房モードの一方から他方に切り換えられた場合に、冷媒圧力に関する値が予め設定されている閾値よりも高ければ、第２速度で回転数を下げる。冷媒圧力に関する値が閾値以下であれば、第１速度で回転数を下げる。すなわち、制御部は、冷媒圧力に関する値に基づいて回転数を制御する。
【０００８】
したがって、本発明の第２観点に係る空気調和機では、冷媒圧力に適した速度で回転数を下げることができる。
【０００９】
本発明の第３観点に係る空気調和機においては、凝縮器と、温度センサとをさらに備える。温度センサは、凝縮器の温度を検出する。制御部は、冷媒圧力に関する値として温度センサの出力値が閾値よりも高ければ、第２速度で回転数を下げる。
【００１０】
本発明の第３観点に係る空気調和機では、制御部は、温度センサの出力値が閾値よりも高ければ、第２速度で回転数を下げるので、空気調和機が圧力センサを備えなくてもよい。
【００１１】
本発明の第４観点に係る空気調和機においては、圧縮機と、圧力センサとをさらに備える。圧力センサは、圧縮機の吐出側での冷媒圧力を検出する。制御部は、冷媒圧力に関する値として圧力センサの出力値が閾値よりも高ければ、第２速度で回転数を下げる。
【００１２】
本発明の第４観点に係る空気調和機では、制御部は、圧力センサの出力値が閾値よりも高ければ、第２速度で回転数を下げる。これにより、室内ファンの回転数をより高精度で制御することができる。
【００１３】
本発明の第５観点に係る空気調和機においては、制御部は、回転数を維持する区間と回転数を低下させる区間とを繰り返すことにより、全体として第２速度で回転数を目標回転数まで下げる。すなわち、制御部は、回転数を段階的に下げることにより、第２速度で回転数を目標回転数まで下げる。
【００１４】
本発明の第５観点に係る空気調和機では、プログラムによる制御の簡略化が期待できる。
【発明の効果】
【００１５】
本発明の第１観点に係る空気調和機では、室内熱交換器での冷媒温度の過度の上昇を抑制することができる。
【００１６】
本発明の第２観点に係る空気調和機では、冷媒圧力に適した速度で回転数を下げることができる。
【００１７】
本発明の第３観点に係る空気調和機では、空気調和機が圧力センサを備えなくてもよい。
【００１８】
本発明の第４観点に係る空気調和機では、室内ファンの回転数をより高精度で制御することができる。
【００１９】
本発明の第５観点に係る空気調和機では、プログラムによる制御の簡略化が期待できる。
【図面の簡単な説明】
【００２０】
【図１】空気調和機の構成の一例を説明する図である。
【図２】空調室内機の機能ブロックの一例を説明する図である。
【図３】通常暖房モードと高温風モードの切換を説明する図である。
【図４】室内ファンの回転数の低下速度を説明する図である。
【図５】室内ファンの回転数の下限値設定処理のフローチャートの一例を示す図である。
【発明を実施するための形態】
【００２１】
本発明の実施形態を以下に示す。なお、以下の実施形態は、具体例に過ぎず、特許請求の範囲に係る発明を限定するものではない。
【００２２】
＜第１実施形態＞
（１）空気調和機の構成
図１は、空気調和機１００の構成の一例を説明する図である。空気調和機１００は、熱源側ユニットとしての空調室外機２００と、利用側ユニットとしての空調室内機３００とを含む。空調室外機２００と空調室内機３００は、液冷媒の冷媒連絡配管１０１およびガス冷媒の冷媒連絡配管１０２を介して、互いに接続されている。
【００２３】
空気調和機１００の冷媒回路は、空調室外機２００、空調室内機３００、冷媒連絡配管１０１、および冷媒連絡配管１０２によって、構成されている。より詳細には、冷媒回路は、膨張弁２０３、圧縮機２０４、四路切換弁２０５、アキュムレータ２０６、室外熱交換器２０７、および室内熱交換器３０１を含む。
【００２４】
（２）空気調和機の詳細構成
（２−１）空調室内機
空調室内機３００は、室内熱交換器３０１と、室内ファン３０２とを有する。室内熱交換器３０１は、例えば、伝熱管と多数のフィンとにより構成されたクロスフィン式のフィンアンドチューブ型熱交換器である。室内熱交換器３０１は、冷房運転時に冷媒の蒸発器として機能して室内空気を冷却し、暖房運転時に冷媒の凝縮器として機能して室内空気を加熱する。すなわち、冷媒と室内空気とを熱交換して調和空気を生成する。生成された調和空気は、空調室内機３００の吹出口（図示せず）から吹き出される。室内ファン３０２は、ファンモータ３３０（図２参照）に接続されている。室内ファン３０２がファンモータ３３０の駆動によって回転すると、室内の空気は、室内熱交換器３０１に供給される。
【００２５】
（２−２）空調室外機
空調室外機２００は、ガス冷媒配管２０１と、液冷媒配管２０２と、膨張弁２０３と、圧縮機２０４と、四路切換弁２０５と、アキュムレータ２０６と、室外熱交換器２０７と、室外ファン２０８とを有する。ガス冷媒配管２０１の一端は、室外熱交換器２０７のガス側端部に接続され、ガス冷媒配管２０１の他端は、四路切換弁２０５に接続されている。液冷媒配管２０２の一端は、室外熱交換器２０７の液側端部に接続され、液冷媒配管２０２の他端は、膨張弁２０３に接続されている。
【００２６】
膨張弁２０３は、冷媒を減圧する機構である。膨張弁２０３は、室外熱交換器２０７と冷媒連絡配管１０１の間に設けられている。圧縮機２０４は、圧縮機用モータによって駆動される密閉式圧縮機である。
【００２７】
四路切換弁２０５は、冷媒が流れる方向を切り換える機構である。冷房運転時には、図１の四路切換弁２０５の実線に示されるように、四路切換弁２０５は、圧縮機２０４の吐出側の冷媒配管とガス冷媒配管２０１を接続すると共に、アキュムレータ２０６を介して、圧縮機２０４の吸入側の冷媒配管と冷媒連絡配管１０２を接続する。一方、暖房運転時には、図１の四路切換弁２０５の破線に示されるように、四路切換弁２０５は、圧縮機２０４の吐出側の冷媒配管と冷媒連絡配管１０２を接続すると共に、アキュムレータ２０６を介して、圧縮機２０４の吸入側の冷媒配管とガス冷媒配管２０１を接続する。
【００２８】
アキュムレータ２０６は、冷媒を気相と液相に分ける。アキュムレータ２０６は、圧縮機２０４と四路切換弁２０５の間に設けられている。
【００２９】
室外熱交換器２０７は、冷房運転時に冷媒の凝縮器として機能し、暖房運転時に冷媒の蒸発器として機能する。室外ファン２０８は、空気を室外熱交換器２０７に供給する。
【００３０】
（３）空気調和機の空調動作
（３−１）冷房運転
膨張弁２０３の開度は、室内熱交換器３０１の出口（すなわち、室内熱交換器３０１のガス側）における冷媒の過熱度が一定になるように、調整されている。冷房運転時の四路切換弁２０５の接続状態は、既に説明した通りである。
【００３１】
以上のような状態の冷媒回路において、圧縮機２０４から吐出された冷媒は、四路切換弁２０５を通って室外熱交換器２０７へ流入し、室外空気へ放熱して凝縮する。室外熱交換器２０７から流出された冷媒は、膨張弁２０３を通過するときに膨張する。その後、室内熱交換器３０１へ流入し、室内空気から吸熱して蒸発する。
【００３２】
（３−２）暖房運転
膨張弁２０３の開度は、室内熱交換器３０１の出口における冷媒の過冷却度が過冷却度目標値で一定になるように、調節されている。暖房運転時の四路切換弁２０５の接続状態は、既に説明した通りである。
【００３３】
以上のような状態の冷媒回路において、圧縮機２０４から吐出された冷媒は、四路切換弁２０５を通って室内熱交換器３０１へ流入し、室内空気へ放熱して凝縮する。室内熱交換器３０１から流出した冷媒は、膨張弁２０３を通過するときに膨張する。その後、室外熱交換器２０７へ流入し、室外空気から吸熱して蒸発する。室外熱交換器２０７から流出した冷媒は、四路切換弁２０５を通過後に再び圧縮機２０４へ吸入されて圧縮される。
【００３４】
（４）空調室内機の機能ブロック
図２は、空調室内機３００の機能ブロックの一例を説明する図である。空調室内機３００は、ファンモータ３３０に加えて、制御部３１０と、温度センサ３２０と、リモートコントローラ３４０とを含む。
【００３５】
制御部３１０は、ＭＰＵ、ＲＯＭおよびＲＡＭ等から構成されたコンピュータである。ＲＯＭには、後述のフローチャートで用いられる各種閾値、および後述の下限回転数等が予め記憶されている。制御部３１０は、温度センサ３２０およびファンモータ３３０に電気的に接続されている。
【００３６】
制御部３１０は、後述のコマンド信号に基づいて運転モードを設定する設定部としての役割を担う。運転モードは、第１暖房モードの一例としての通常暖房モード、および第２暖房モードの一例としての高温風モードを含む。すなわち、空気調和機１００は、通常暖房モードおよび高温風モードを暖房機能として備える。高温風モードの吹出し温度は、通常暖房モードの吹出し温度よりも高い。すなわち、高温風モードでは、通常暖房モードよりも高温の調和空気が生成される。運転モードは、さらに、送風モード、および冷房モードを含む。
【００３７】
制御部３１０は、温度センサ３２０から温度センサ３２０の出力値を取得する。制御部３１０は、取得した出力値に基づいて、室内ファン３０２の回転数を制御する。すなわち、ファンモータ３３０を制御する。詳しくは後述するが、制御部３１０は、運転モードが高温風モードから通常暖房モードに切り換えられた場合に、取得した出力値が予め設定されている閾値よりも大きければ、回転数の下限値を設定する。これにより、室内ファン３０２の回転数を段階的に低下させる。
【００３８】
温度センサ３２０は、冷媒圧力に関する値の一例としての室内熱交換器温度を検出する。室内熱交換器温度は、室内熱交換器３０１の２相域での温度である。温度センサ３２０は、検出した室内熱交換器温度を制御部３１０に送信する。
【００３９】
リモートコントローラ３４０は、ユーザ操作に基づいて、赤外線により、制御部３１０にコマンド信号を送信する。コマンド信号は、運転モードの設定に関するコマンド信号を含む。ユーザは、リモートコントローラ３４０を操作することによって、空調室内機３００の運転モードを設定することができる。
【００４０】
（５）通常暖房モードと高温風モードの切換
図３は、通常暖房モードと高温風モードの切換を説明する図である。既に説明したように、空気調和機１００は、暖房機能として、通常暖房モードおよび高温風モードを有する。運転モードが通常暖房モードに設定されている場合に、ユーザから高温風モードの機能オンの要求があれば、空調室内機３００は、通常暖房モードから高温風モードに切り換える。
【００４１】
一方、運転モードが高温風モードに設定されている場合に、ユーザから高温風モードの機能オフの要求があれば、空調室内機３００は、高温風モードから通常暖房モードに切り換える。また、運転モードが高温風モードに設定されてから、予め設定されている時間が経過した場合にも、空調室内機３００は、高温風モードから通常暖房モードに切り換える。
【００４２】
（６）室内ファンの回転数の低下速度
図４は、室内ファン３０２の回転数の低下速度を説明する図である。横軸は、時間を示し、縦軸は、室内ファン３０２の回転数を示す。
【００４３】
グラフｇ１では、室内ファン３０２の回転数は、カレント回転数ＲCURから目標回転数ＲREに右肩下がりに直線状に低下する。すなわち、一次関数的に単調減少する。グラフｇ１では、室内ファン３０２の回転数がカレント回転数ＲCURから目標回転数ＲREに低下するまでに、時間ｔ５−時間ｔ１の期間が必要である。すなわち、第１速度としての回転数の低下速度は、（ＲCUR−ＲRE）／（ｔ５−ｔ１）である。運転モードが通常暖房モードに設定されている場合には、室内ファン３０２の回転数は、グラフｇ１に示されるように、第１速度で下げられる。
【００４４】
グラフｇ２では、室内ファン３０２の回転数は、一次関数的に単調減少するのではなく、低下区間ｄｅｃと維持区間ｍｔを繰り返しながら、カレント回転数ＲCURから目標回転数ＲREに低下する。すなわち、室内ファン３０２の回転数は、段階的に低下する。詳しくは後述するが、回転数の下限値が適宜設定されることにより、すなわち、維持区間ｍｔが設けられることにより、一次関数的に単調減少することが回避される。低下区間ｄｅｃは、室内ファン３０２の回転数が低下する区間であり、維持区間ｍｔは、室内ファン３０２の回転数が維持される区間である。
【００４５】
本実施形態においては、室内ファン３０２の回転数は、まず、時間ｔ１から時間ｔ２にかけて、カレント回転数ＲCURから第１下限回転数ＲLIM1に低下する。第１下限回転数ＲLIM1は、特定のファンタップでの回転数である。第１下限回転数ＲLIM1は、圧縮機２０４の停止を回避する観点から、十分に許容される回転数として予め設定されている。その後、室内ファン３０２の回転数は、維持区間ｍｔと低下区間ｄｅｃを繰り返す。より詳細には、室内ファン３０２の回転数の区間は、時間ｔ２から時間ｔ３まで維持区間ｍｔであり、時間ｔ３から時間ｔ４まで低下区間ｄｅｃである。時間ｔ４から時間ｔ６まで維持区間ｍｔであり、時間ｔ６から時間ｔ７まで低下区間ｄｅｃである。時間ｔ７から時間ｔ８まで維持区間ｍｔであり、時間ｔ８から時間ｔ９まで低下区間ｄｅｃである。
【００４６】
繰り返し区間における各低下区間ｄｅｃでは、室内ファン３０２の回転数は、第２下限回転数ずつ低下する。なお、図４においては、カレント回転数ＲCURから第１下限回転数までの下げ幅は、繰り返し区間における各低下区間ｄｅｃでの下げ幅よりも小さい。
【００４７】
グラフｇ２では、室内ファン３０２の回転数がカレント回転数ＲCURから目標回転数ＲREに低下するまでに、時間ｔ９−時間ｔ１の期間が必要である。すなわち、グラフｇ３に示されるように、全体としての、第２速度としての回転数の低下速度は、（ＲCUR−ＲRE）／（ｔ９−ｔ１）である。
【００４８】
グラフｇ１およびグラフｇ３から明らかなように、第２速度は、第１速度よりも遅い。また、グラフｇ２の各低下区間ｄｅｃにおける速度は、第１速度と同一である。
【００４９】
（７）フローチャート
図５は、室内ファン３０２の回転数の下限値設定処理のフローチャートの一例を示す図である。本フローチャートは、運転モードが高温風モードから通常暖房モードに切り換えられた場合に開始される。本フローチャートにおいて、変数ＴＥＭｈは、室内熱交換器温度を示す。定数ＴＥＭｔｈは、室内熱交換器温度の閾値を示す。変数ＲＦLIMは、室内ファン３０２の回転数の下限値を示す。定数ＲＦLIM1は、第１下限回転数を示す。定数ＲＦLIM2は、第２下限回転数を示す。定数ＲＦREは、目標回転数を示す。目標回転数は、例えば、高温風モードに切り換えられる直前の、通常暖房モードでの回転数である。変数ＴＩＭは、タイマのカウント値を示す。定数ＴＩＭｔｈは、タイマの閾値を示す。
【００５０】
運転モードが高温風モードから通常暖房モードに切り換えられると、制御部３１０は、変数ＴＥＭｈが定数ＴＥＭｔｈよりも大きいかを判定する（ステップＳ１０１）。すなわち、室内熱交換器温度が予め設定されている閾値よりも大きいかを判定する。
【００５１】
制御部３１０は、変数ＴＥＭｈが定数ＴＥＭｔｈよりも大きいと判定した場合には（ステップＳ１０１でＹＥＳ）、変数ＲＦLIMに定数ＲＦLIM1を代入する（ステップＳ１０２）。すなわち、室内ファン３０２の回転数の下限値を第１下限回転数に設定する。その後、制御部３１０は、一定時間毎に室内ファン３０２の回転数の下限値を下げていく。すなわち、段階的に室内ファン３０２の回転数の下限値を下げていく。これにより、第１速度よりも遅い第２速度で回転数を下げる。具体的には、下記の通りである。
【００５２】
まず、制御部３１０は、タイマを開始する（ステップＳ１０３）。次に、変数ＴＩＭが定数ＴＩＭｔｈ以上であるかを判定する（ステップＳ１０４）。変数ＴＩＭが定数ＴＩＭｔｈ未満であると判定した場合には（ステップＳ１０４でＮＯ）、そのまま待機する。一方、変数ＴＩＭが定数ＴＩＭｔｈ以上であると判定した場合には（ステップＳ１０４でＹＥＳ）、変数ＲＦLIMから定数ＲＦLIM2を引いた値を新たに変数ＲＦLIMに代入する（ステップＳ１０５）。すなわち、室内ファン３０２の回転数の下限値を定数ＲＦLIM2だけ下げる。
【００５３】
制御部３１０は、変数ＲＦLIMが定数ＲＦRE以下であるか判定する（ステップＳ１０６）。すなわち、室内ファン３０２の回転数の下限値が目標回転数に到達したかを判定する。制御部３１０は、変数ＲＦLIMが定数ＲＦREよりも大きいと判定した場合には（ステップＳ１０６でＮＯ）、タイマをリセットして（ステップＳ１０７）、ステップＳ１０３に戻る。変数ＲＦLIMが定数ＲＦRE以下であると判定した場合（ステップＳ１０６でＹＥＳ）には、一連の処理を終了する。また、ステップＳ１０１において、変数ＴＥＭｈが定数ＴＥＭｔｈ以下であると判定した場合にも（ステップＳ１０１でＮＯ）、下限値設定処理を行うことなく、一連の処理を終了する。この場合には、室内ファン３０２の回転数を第１速度で低下させればよい。
【００５４】
（８）空気調和機の特徴
本実施形態の空気調和機１００においては、制御部３１０は、運転モードが高温風モードから通常暖房モードに切り換えられた場合に、第１速度で回転数を下げるのではなく、第１速度よりも遅い第２速度で回転数を下げる。これにより、室内熱交換器３０１での冷媒温度の過度の上昇を抑制することができる。
【００５５】
本実施形態の空気調和機１００においては、制御部３１０は、運転モードが高温風モードから通常暖房モードに切り換えられた場合に、室内熱交換器温度に基づいて、回転数を制御する。具体的には、まず、室内熱交換器温度が予め設定されている閾値よりも大きいかを判定する。そして、室内熱交換器温度が予め設定されている閾値よりも大きい場合には、第２速度で回転数を下げる。室内熱交換器温度が予め設定されている閾値以下である場合には、第１速度で回転数を下げる。制御部３１０が室内熱交換器温度に基づいて回転数を制御するので、冷媒圧力に適した速度で回転数を下げることができる。
【００５６】
本実施形態の空気調和機１００においては、制御部３１０は、室内熱交換器温度として温度センサ３２０の出力値が閾値よりも高ければ、第２速度で回転数を下げる。したがって、空気調和機１００が圧力センサを備えなくてもよい。
【００５７】
本実施形態の空気調和機１００においては、制御部３１０は、回転数を維持する区間と回転数を低下させる区間とを繰り返すことにより、全体として第２速度で回転数を目標回転数まで下げる。これにより、プログラムによる制御の簡略化が期待できる。
【００５８】
＜変形例＞
本発明の実施形態に適用可能な変形例を説明する。
【００５９】
（１）変形例Ａ
以上の説明では、空気調和機１００は、温度センサ３２０を備えたが、温度センサ３２０の代わりに、または温度センサ３２０に加えて、圧力センサを備えてもよい。圧力センサは、圧縮機２０４の吐出側での冷媒圧力を検出する。制御部３１０は、圧力センサの出力値を取得する。そして、取得した出力値に応じて、ファンモータ３３０を制御する。
【００６０】
制御部３１０は、運転モードが高温風モードから通常暖房モードに切り換えられた場合に、取得した出力値が予め設定されている閾値よりも大きければ、回転数の下限値を設定してもよい。これにより、室内ファン３０２の回転数を段階的に低下させることができるので、室内ファン３０２の回転数を第２速度で低下させることができる。この場合に、例えば、図５で説明したフローチャートを適用することができる。制御部３１０が圧力センサの出力値に応じてファンモータ３３０を制御する場合には、室内ファン３０２の回転数をより高精度で制御することができる。
【００６１】
（２）変形例Ｂ
以上の説明では、制御部３１０は、冷媒圧力そのもの、または冷媒圧力に相関する室内熱交換器温度に応じて、回転数の下限値設定の要否を判定したが、他の要素に応じて、回転数の下限値設定の要否を判定してもよい。例えば、運転モードが高温風モードから通常暖房モードに切り換えられた場合に、直前の通常暖房モードでの室内ファン３０２の風量が、高温風モードでの室内ファン３０２の風量よりも低ければ、制御部３１０は、運転モードの切換により、室内ファン３０２の風量を低下させて、直前の設定値に戻す。このとき、冷媒圧力が過度に上昇する場合があり得る。
【００６２】
そこで、制御部３１０は、室内ファン３０２の風量に基づいて、室内ファン３０２の回転数の下限値設定の要否を判定してもよい。より詳細には、直前の通常暖房モードでの室内ファン３０２の風量が、高温風モードでの室内ファン３０２の風量よりも低ければ、室内ファン３０２の回転数を段階的に下げるとよい。
【００６３】
（３）変形例Ｃ
以上の説明では、図４のグラフｇ２の各低下区間ｄｅｃにおける速度は、第１速度と同一であったが、第１速度と同一でなくてもよい。例えば、第１速度よりも遅くてもよい。これにより、室内熱交換器３０１での冷媒温度の過度の上昇をより抑制することができる。
【００６４】
（４）変形例Ｄ
以上の説明では、制御部３１０は、室内ファン３０２の回転数を段階的に下げることにより、室内ファン３０２の回転数を第２速度で下げたが、段階的に下げなくてもよい。例えば、図４のグラフｇ３で示したように、室内ファン３０２の回転数を一次関数的に単調減少させてもよい。
【００６５】
（５）変形例Ｅ
カレント回転数ＲCURから第１下限回転数までの下げ幅は、カレント回転数ＲCURに応じて適宜設定されてもよい。また、カレント回転数ＲCURから第１下限回転数までの下げ幅は、繰り返し区間における各低下区間ｄｅｃでの下げ幅と同一であってもよいし、繰り返し区間における各低下区間ｄｅｃでの下げ幅よりも大きくてもよい。
【００６６】
（６）変形例Ｆ
以上の説明では、運転モードが高温風モードから通常暖房モードに切り換えられた場合を例に挙げたが、運転モードが通常暖房モードから高温風モードに切り換えられた場合にも、制御部３１０は、室内ファン３０２の回転数を第２速度で下げてもよい。この場合にも、図５で示したフローチャートを適用することができる。すなわち、運転モードが高温風モードおよび通常暖房モードの一方から他方に切り換えられた場合に、図５で示したフローチャートを適用することができる。
【００６７】
（７）変形例Ｇ
図５では、変数ＲＦLIMが定数ＲＦRE以下であると判定した場合（ステップＳ１０６でＹＥＳ）、またはステップＳ１０１において、変数ＴＥＭｈが定数ＴＥＭｔｈ以下であると判定した場合に、一連の処理を終了した。しかしながら、制御部３１０は、これらの条件を満たさなくても、圧縮機２０４が停止した場合に、一連の処理を終了してもよい。例えば、運転モードが送風モード、または冷房モードに切り換えられた場合に、圧縮機２０４は停止する。したがって、制御部３１０は、運転モードが送風モード、または冷房モードに切り換えられた場合に、一連の処理を終了してもよい。すなわち、下限値の設定を解除してもよい。
【００６８】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【００６９】
特許請求の範囲、明細書、および図面中に示した装置、プログラム、および方法における動作、手順、ステップ、段階等の各処理の実行順序は、特段「より前に」、「先立って」等と明示しておらず、また、前の処理の出力を後の処理で用いる場合でない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７０】
１００  空気調和機
２０４  圧縮機
３０１  室内熱交換器
３０２  室内ファン
３１０  制御部
【先行技術文献】
【特許文献】
【００７１】
【特許文献１】特開平５−８７３９１号公報
【図１】
2017083146.tif 000003
【図２】
2017083146.tif 000004
【図３】
2017083146.tif 000005
【図４】
2017083146.tif 000006
【図５】
2017083146.tif 000007